(57)【要約】【課題】その中にタンク容積を有するタンクに導入される流体を混合するための混合機ノズル組立体を提供する。【解決手段】混合機ノズル組立体は、固定本体、および、所定の方向に軸の周りを回転するよう前記固定本体に取り付けられた回転本体を含む。流体は、前記固定本体を通って前記回転本体に流れ、前記回転本体が前記軸の周りの所定の方向に回転できるようにするため、一つ以上の出口開口を介して、前記タンク容積内に出て行く。前記混合機ノズル組立体は、また、前記軸周りの所定の方向における前記回転本体の回転速度を制御するガバナー組立体、および、予め選定された速度に前記回転本体の回転速度を調整するために油圧油の流速を調整するため、前記ガバナー組立体に向けられた前記油圧油の流速を支配するための油圧回路を含む。【選択図】図５Ａ
2012076074.tif 000002
【特許請求の範囲】
【請求項１】
タンク容積をその中に有するタンクに導入される流体を混合するための混合機ノズル組立体であって、前記混合機ノズル組立体は、
互いに流体連通する、少なくとも一つの入口および少なくとも一つの出口を含む固定本体、
所定の方向における軸の周りの回転のために前記固定本体に装着された回転本体であって、前記回転本体は、互いに流体連通する少なくとも一つの入口開口および少なくとも一つの出口開口を含み、前記少なくとも一つの入口開口は、流体が、前記固定本体の前記少なくとも一つの入口から前記少なくとも一つの出口開口まで流れ、そこからタンク容積に出ていくことを可能にするために、前記固定本体の前記少なくとも一つの出口と流体連通する、前記回転本体、
回転本体が前記軸の周りで前記所定方向に回転することを可能にするために、前記軸と非整列の方向に、そこを通って前記回転本体を出て行く流体を方向づけるように形成されている前記少なくとも一つの出口開口、
タンク容積内の流体の少なくとも一部と混合する、前記少なくとも一つの出口開口を出て行く流体、
前記軸の周りの前記所定の方向における前記回転本体の回転速度を制御するガバナー組立体であって、前記ガバナー組立体は、
前記回転の速度での前記軸の周りにおける前記回転本体と一緒の回転のために前記回転本体に固定された駆動シャフト、
前記回転の速度での前記軸の周りにおける前記駆動シャフトと一緒の回転のための、前記駆動シャフトに取付けられた少なくとも一つの内部要素、
前記少なくとも一つの内部要素と前記ガバナーの本体との間の内部容積を少なくとも部分的に画定するように、前記少なくとも一つの内部要素がそこに受け入れられる、少なくとも一つの空洞、を画定する前記ガバナーの本体、
前記回転本体が予め選定された速度で回転できるように、前記軸の周りでの前記少なくとも一つの内部要素の回転を穏やかにするために予め選定された流速で、そこを通って方向づけられる油圧油を受け入れるように適合されている内部容積、を含むガバナー組立体、および、
前記予め選定された速度に前記回転本体の前記回転速度を調整するため、前記予め選定された流速に前記流速を調整するための前記油圧油の流速を支配するための油圧回路、
を含むことを特徴とする混合機ノズル組立体。
【請求項２】
請求項１の混合機ノズル組立体であって、前記油圧回路は、前記予め選定された速度に前記回転本体の前記回転速度を調整するため、前記内部容積への前記油圧油の前記流速を制御するための弁を、追加的に含むことを特徴とする混合機ノズル組立体。
【請求項３】
請求項２の混合機ノズル組立体であって、前記弁は、前記油圧油の前記流速の調整のために、前記タンクの外部に配置されていることを特徴とする混合機ノズル組立体。
【請求項４】
請求項１の混合機ノズル組立体であって、前記油圧回路は、前記予め選定された速度に前記回転本体の前記回転速度を調整するために、前記内部容積への前記油圧油の前記流速を制御するための油圧ポンプを、追加的に含むことを特徴とする混合機ノズル組立体。
【請求項５】
請求項４の混合機ノズル組立体であって、前記油圧油の前記流速を調整するために、前記油圧ポンプが、前記タンクの外部に配置されていることを特徴とする混合機ノズル組立体。
【請求項６】
請求項１の混合機ノズル組立体であって、前記固定本体に対する前記軸の周りの前記回転本体の前記回転速度を示すための速度表示器を追加的に含むことを特徴とする混合機ノズル組立体。
【請求項７】
請求項６の混合機ノズル組立体であって、前記速度表示器は、
第一係合部分を含み、前記回転本体に対して静止している少なくとも一つの第一要素、
第二係合部分を含み、前記回転本体に装着された少なくとも一つの第二要素、および、
前記固定本体に対する前記回転本体の回転速度を示すための可聴音を提供するために、前記回転本体が前記固定本体に対して前記軸周りに回転する時間間隔で、前記第一係合部分との係合のために位置づけられた、各々の前記第二係合部分、
を含むことを特徴とする混合機ノズル組立体。
【請求項８】
請求項１の混合機ノズル組立体であって、
混合機ノズル組立体は、前記軸周りの前記回転本体の回転速度を示すための、速度表示器を付加的に含み、
油圧回路は、
予め選定された流速で、そこへ前記油圧油を提供するよう、前記内部容積への前記油圧油の流速を制御するための弁、および、
予め選定された流速で、そこへ前記油圧油を提供するよう、前記内部容積への前記油圧油の流速を付加的に制御するための油圧ポンプ、
を含み、
前記流速は、前記予め選定された速度での前記軸周りにおける前記回転本体の前記回転速度を調整するために、前記予め調整された流速に前記油圧弁および前記油圧ポンプによって調整可能であることを特徴とする混合機ノズル組立体。
【請求項９】
請求項８の混合機ノズル組立体であって、前記速度表示器により示された前記回転本体の回転速度の変化に対応して、前記予め選定された流速への、前記油圧油の前記予め選定された流速の調整を可能にするために、前記弁および前記油圧ポンプが前記タンクの外部に配置されていることを特徴とする混合機ノズル組立体。
【請求項１０】
請求項１の混合機ノズル組立体であって、前記タンクに対して予め選定された方向に、前記回転本体への前記少なくとも一つの出口を出て行く前記流体を方向付けるために、前記固定本体が、前記固定本体の前記少なくとも一つの出口に配置されている、そらせ板を含むことを特徴とする混合機ノズル組立体。
【請求項１１】
請求項１の混合機ノズル組立体であって、前記予め選定された速度に前記回転速度を調整するために、そこを通る流体の流速を調整するように、前記少なくとも一つの出口開口を減少させるため、前記回転本体に取り付けられる少なくとも一つのインサートを付加的に含むことを特徴とする混合機ノズル組立体。
【請求項１２】
タンクに導入される流体を混合するための方法であって、該方法は、
（ａ）互いに流体連通する少なくとも一つの入口と少なくとも一つの出口を含む固定本体を用意するステップ、
（ｂ）所定の方向における軸周りの回転のために前記固定本体に装着された回転本体であって、前記回転本体は、互いに流体連通する、その少なくとも一つの入口開口および少なくとも一つの出口開口を含み、前記少なくとも一つの入口開口は、前記固定本体の前記少なくとも一つの入口から前記少なくとも一つの出口開口まで、前記流体が流れ、そこからタンク容積内に流れるのを可能にするために、前記固定本体の前記少なくとも一つの出口と流体連通しており、前記少なくとも一つの出口開口は、前記軸周りの前記所定の方向への前記回転本体の回転をもたらすため、前記軸と非整合の前記所定の方向にそこから前記回転本体を出て行く前記流体を方向付けるように形成されており、前記少なくとも一つの出口開口を出て行く前記流体は、前記タンク容積内の少なくとも一部の前記流体と混合する、前記回転本体を用意するステップ、
（ｃ）前記軸周りの前記所定の方向での前記回転本体の回転速度を調整するためのガバナー組立体であって、該ガバナー組立体が、
前記回転速度で前記軸周りに前記回転本体と一緒に回転するように前記回転本体に固定された駆動シャフト、
前記回転速度で前記軸周りに前記駆動シャフトと一緒に回転するよう、前記駆動シャフトに取付けられた少なくとも一つの内部要素、
その中に少なくとも一つの空洞を画定する前記ガバナー本体であって、前記少なくとも一つの空洞内には、前記少なくとも一つの内部要素および前記ガバナー本体との間の内部容積を少なくとも部分的に画定するように、前記少なくとも一つの内部要素が受け入れ可能であり、予め選定された速度で前記回転本体が回転できるよう、油圧油が、前記軸周りの前記少なくとも一つの内部要素の回転を穏やかにするために、予め選定された流速で前記内部容積を通して方向付けられる、前記ガバナー本体を用意するステップ、および、
（ｄ）前記予め選定された速度に前記回転本体の回転速度を調整するため、前記予め選定された流速に、前記流速を調整するための、前記油圧油の流速を支配する油圧回路を用意するステップ、
を含むことを特徴とする方法。
【請求項１３】
請求項１２の方法であって、該方法は、
（ｅ）速度表示器で、前記固定本体に対する前記軸周りの前記回転本体の回転速度を決定するステップ、を追加的に含むことを特徴とする方法。
【請求項１４】
請求項１３の方法であって、方法は、
（ｆ）前記速度表示器により示された前記回転本体の回転速度に基き、前記予め選定された速度に前記回転本体の回転速度を調整するため、前記予め選定された流速に前記流速を調整するために、弁でもって、前記内部容積への前記油圧油の流速を制御するステップ、
を追加的に含むことを特徴とする方法。
【請求項１５】
請求項１４の方法であって、該方法は、
（ｇ）前記速度表示器により示された前記回転本体の回転速度に基き、前記予め選定された速度に前記回転本体の回転速度を調整するため、前記予め選定された流速に前記流速を調整するために、油圧ポンプでもって、前記内部容積への前記油圧油の流速を制御するステップ、
を追加的に含むことを特徴とする方法。
【請求項１６】
流体をそこに貯蔵するためのタンクであって、該タンクは、
少なくとも一つのタンク壁であって、前記流体が受け入れられるタンク容積を少なくとも部分的に画定する、前記少なくとも一つのタンク壁、
混合機ノズル組立体であって、該混合機ノズル組立体は、
互いに流体連通する、少なくとも一つの入口および少なくとも一つの出口を含む固定本体、
所定の方向における軸の周りの回転のために前記固定本体に装着された回転本体であって、前記回転本体は、互いに流体連通するその少なくとも一つの入口開口および少なくとも一つの出口開口を含み、前記少なくとも一つの入口開口は、流体が、前記固定本体の前記少なくとも一つの入口から前記少なくとも一つの出口開口まで流れ、そこから前記タンク容積に出ていくことを可能にするために、前記固定本体の前記少なくとも一つの出口と流体連通する、前記回転本体、
前記回転本体が前記軸の周りで所定方向に回転することを可能にするために、前記軸と非整列の前記方向に、そこを通って前記回転本体から出て行く流体を方向づけるように形成されている前記少なくとも一つの出口開口、
前記タンク容積内の流体の少なくとも一部と混合する、前記少なくとも一つの出口開口を出て行く流体、
前記軸の周りの前記所定の方向における前記回転本体の回転速度を制御するためのガバナー組立体であって、前記ガバナー組立体は、
前記回転の速度での前記軸の周りにおける前記回転本体と一緒の回転のために前記回転本体に固定された駆動シャフト、
前記回転の速度での前記軸の周りにおける前記駆動シャフトと一緒の回転のための、前記駆動シャフトに取付けられた少なくとも一つの内部要素、
前記少なくとも一つの内部要素とガバナーの本体との間の内部容積を少なくとも部分的に画定するように、前記少なくとも一つの内部要素がそこに受け入れられる、少なくとも一つの空洞を画定する前記ガバナーの本体、
前記回転本体が予め選定された速度で回転できるように、前記軸の周りで前記少なくとも一つの内部要素の回転を穏やかにするために予め選定された流速で、そこを通って方向づけられる油圧油を受け入れるように適合されている前記内部容積、を含むガバナー組立体、および、
前記予め選定された速度に前記回転本体の前記回転速度を調整するため、前記予め選定された流速に前記流速を調整するように前記油圧油の流速を支配するための油圧回路、を含む前記混合機ノズル組立体、
を含むことを特徴とするタンク。
【請求項１７】
請求項１６のタンクであって、前記油圧回路は、前記予め選定された速度に前記回転本体の前記回転速度を調整するため、前記内部容積への前記油圧油の前記流速を制御するための弁を、追加的に含むことを特徴とするタンク。
【請求項１８】
請求項１７のタンクであって、前記弁は、前記油圧油の前記流速の調整のために、前記タンクの外部に配置されていることを特徴とするタンク。
【請求項１９】
請求項１６のタンクであって、
混合機ノズル組立体は、前記軸周りの前記回転本体の回転速度を示すために、速度表示器を追加的に含み、
油圧回路は、
予め選定された流速で、そこへ前記油圧油を提供するよう、前記内部容積への前記油圧油の流速を制御するための弁、および、
予め選定された流速で、そこへ前記油圧油を提供するよう、前記内部容積への前記油圧油の流速を付加的に制御するための油圧ポンプを含み、
前記流速は、前記予め選定された速度に前記軸周りにおける前記回転本体の前記回転速度を調整するために、前記予め調整された流速に前記油圧弁および前記油圧ポンプによって調整可能であることを特徴とするタンク。
【請求項２０】
請求項１９のタンクであって、前記速度表示器により示された前記回転本体の回転速度の変化に応じて、前記予め選定された速度に、前記油圧油の前記流速を調整することができるように、前記弁および前記油圧ポンプが前記少なくとも一つの壁の外部に配置されていることを特徴とするタンク。
【発明の詳細な説明】
【技術分野】
【０００１】
この発明は、タンクに導入される流体を混合するための混合機ノズル組立体に関する。
【背景技術】
【０００２】
当該技術分野においてよく知られているように、例えば、以前に導入された流体バッチを保持する貯蔵タンクに、新たな流体バッチが導入されるとき、種々の流体の貯蔵に関連して、種々の問題が発生し得る。流体は、例えば、原油または他の石油製品であり得る。
【０００３】
同一流体の異なるバッチ間の相違、例えば、組成の相違に起因して混合の必要性が存在し得る。相当量の流体をすでに保持するタンクに、新たな一定量の流体が導入されるとき、新たに導入される流体とすでにタンク内にある流体は、特に、タンクが大きいと、よく混ざり合わない可能性がある。したがって、タンク内のすべての流体の均質性（または、ほぼ均質性）を達成するために、ある程度、新たに導入される流体を以前に導入された流体と混合することが重要であり得る。例えば、流体が原油であるとき、その異なる供給源により原油に相違があり得、タンク内の原油に一定の均質性を達成するために原油を混合することが望ましい。
【０００４】
典型的には（必要ではないけれども）、貯蔵タンクは、一般的には、円筒状の設置面積を有する。タンクは、かなり小さいか（例えば、直径がほぼ１２フィート（３．６ｍ）と同じくらいに小さいか）かなり大きく（例えば、直径が２００フィート（６１ｍ）を超えるか、実に３００フィート（９１．４ｍ）を超えており）、最大で数百万リットルまでの容積を有し得る。
【０００５】
貯蔵タンク内で流体を混合するための種々の装置が知られている。一般的に、従来の混合装置は、流体をかき混ぜる、すなわち、流体に付加的な乱流を導入する。一般的に、大きな貯蔵タンク内において、タンク内の流体全体の混合を所望の程度で達成することは、従来の混合機では難しい。問題は、タンク内に流入する流体の粘度、その他の性質の変動のほかに、タンク内への流体の流入速度の変動によっても増大させられる。問題は、さらに、混合機が作動するかなり困難な環境によって増大させられる、すなわち、混合機は、典型的には、少なくとも部分的にタンク内で作動するが、タンク内部（およびタンク内に配置される従来の混合機の一部）は、タンクの使用時間中に通常アクセス可能ではない。
【発明の概要】
【発明が解決しようとする課題】
【０００６】
上述の理由のために、従来技術の欠陥の一つ以上を克服または軽減するノズル混合機組立体の要求が存在する。
【課題を解決するための手段】
【０００７】
その広義の態様において、本発明は、そこにタンク容積を有するタンクに導入される流体を混合するための混合機ノズル組立体を提供する。混合機ノズル組立体は、互いに流体連通する一つ以上の入口および一つ以上の出口を有する固定本体、および、所定の方向に軸の周りを回転するための固定本体に装着された回転本体を含む。回転本体は、互いに流体連通する一つ以上の入口開口および一つ以上の出口開口を含み、入口開口は、固定本体の入口から出口開口まで流体が流れ、そこからタンク容積内に出て行くことを可能にするために、固定本体の出口と流体連通している。各々の出口開口は、回転本体が軸の周りに所定の方向に回転できるように、軸と整合していない方向に、そこを通って回転本体を出て行く流体を方向づけるように形成されている。出口開口を出て行く流体は、タンク容積内の流体の少なくとも一部と混合する。混合機ノズル組立体は、また、軸の周りで所定の方向に回転本体の回転速度を制御するためのガバナー組立体を含む。ガバナー組立体は、回転速度で軸の周りを回転本体と一緒に回転するための、回転本体に結合された駆動シャフト、回転速度で軸の周りを駆動軸と一緒に回転するための、駆動シャフトに取付けられた一つ以上の内部要素、および、内部要素とガバナー本体との間に少なくとも部分的に内部容積を画定する、内部要素が受け入れられる、そこに一つ以上の空洞を画定するガバナー本体を含む。内部容積は、回転本体が予め選定された速度で回転することができるように、軸周りの内部要素の回転を穏やかにするための予め選定された流速で、そこを通って方向づけられる油圧油を受け入れるように適合されている。また、混合機ノズル組立体は、予め選択された速度に回転本体の回転速度を調整するため、予め選定された流速に流速を調整するために、油圧回路の流速を制御するための油圧回路を含む。
【０００８】
他の態様において、混合機ノズル組立体は、軸の周りの回転本体の回転の速度を示すための、速度指示器を付加的に含む。加えて、油圧回路は、また、予め選定された流速で。そこに油圧油を提供するため、内部容積への油圧油の流速を制御するための弁、および、予め選定された流速でそこへ油圧油を提供するために、内部容積への油圧油の流速を付加的に制御するための油圧ポンプを含む。したがって、流速は、予め選定された速度に軸の
周りの回転本体の回転速度を調整するために、弁によって、および、油圧ポンプによって、予め選定された流速に調整され得る。
【０００９】
他の態様において、本発明は、タンクに導入される流体の混合の方法を提供し、速度表示器で、固定本体に対する軸の周りの回転本体の回転速度を決定するステップを含む。
【００１０】
他の態様において、方法は、付加的に、速度表示器によって示される回転本体の回転速度に基いて、予め選定された速度に回転本体の回転速度を調整するため、予め選定された流速に流速を調整するための、弁でもって内部容積への油圧油の流速を制御するステップを含む。
【００１１】
さらに他の態様において、方法は、付加的に、速度表示器によって示される回転本体の回転速度に基いて、予め選定された速度に回転本体の回転速度を調整するため、予め選定された流速に流速を調整するための、油圧ポンプでもって内部容積への油圧油の流速を制御するステップを含む。
【００１２】
他の態様において、本発明は、そこに流体を貯蔵するタンクを提供し、タンクは、一つ以上のタンク壁であって、タンク壁は、流体が受け入れられるタンク容積を少なくとも部分的に画定しているタンク壁、および、混合機ノズル組立体を含む。混合機ノズル組立体は、互いに流体連通している一つ以上の入口と一つ以上の出口を有する固定本体と、所定の方向に軸の周りで回転するために、固定本体に装着される回転本体を含む。回転本体は、互いに流体連通する、その一つ以上の入口開口および一つ以上の出口開口を含み、入口開口は、固定本体の入口から出口開口まで、流体が流れ、そこからタンク容積に出て行くことを可能にするために、固定本体の出口と流体連通している。出口開口は、回転本体が軸の周りで所定の方向に回転することを可能にするために、軸と非整列の方向に、そこを通って回転本体を出て行く流体を方向づけるように形成されている。出口開口を出て行く流体は、タンク容積内の少なくとも一部の流体と混合する。混合機ノズル組立体は、また、軸の周りで所定の方向への回転本体の回転速度を制御するためのガバナー組立体を含む。ガバナー組立体は、回転速度で軸の周りを回転本体と一緒に回転するために、回転本体に固定された駆動シャフト、回転速度で軸の周りを駆動シャフトと一緒に回転するために、駆動シャフトに取付けられた一つ以上の内部要素、内部要素と本体との間の内部容積を少なくとも部分的に画定するように内部要素が受け入れられ得る、そこに一つ以上の空洞を画定するガバナー本体を含む。内部容積は、回転本体が予め選定された速度で回転することができるように、軸の周りでの少なくとも一つの内部要素の回転を穏やかにするために、予め選定された流速で、そこを通って方向づけられる油圧油を受け入れるように適合されている。加えて、混合機ノズル組立体は、予め選定された速度に回転本体の回転速度を調整するため、予め選定された流速に流速を調整するために、油圧油の流速を支配するための油圧回路を含む。
【００１３】
本発明は、添付の図面を参照して、よりよく理解されるであろう。
【図面の簡単な説明】
【００１４】
【図１Ａ】本発明の混合機ノズル組立体の一具体例の等角図である。
【図１Ｂ】より小さな縮尺で描かれた、そこに装架される図１Ａの混合機ノズル組立体の要素を備える貯蔵タンクの断面図である。
【図１Ｃ】より大きな縮尺で描かれた、図１Ａの混合機ノズル組立体の平面図である。
【図２Ａ】図１Ｂのタンクの外部に位置づけられた図１Ａの混合機ノズル組立体のある要素の等角図である。
【図２Ｂ】タンクの外部に位置づけられた本発明の混合機ノズル組立体のある要素の代替具体例の等角図である。
【図２Ｃ】図２Ａに部分的に示された、本発明の混合機ノズル組立体の具体例のガバナー組立体および油圧回路を模式的に表すブロック図である。
【図２Ｄ】図２Ｂに部分的に示された、本発明の混合機ノズル組立体の具体例のガバナー組立体および油圧回路を模式的に表すブロック図である。
【図３】図１Ａの混合機ノズル組立体の正面図である。
【図４】図１Ａの混合機ノズル組立体の側面図である。
【図５Ａ】図１Ａの混合機ノズル組立体の断面図である。
【図５Ｂ】本発明の混合機ノズル組立体の代替具体例の断面図である。
【図５Ｃ】より大きな縮尺で描かれた、本発明のガバナー組立体の具体例の断面図である。
【図６Ａ】より小さい縮尺で描かれた、本発明の混合機ノズル組立体の代替具体例の断面図である。
【図６Ｂ】より大きな縮尺で描かれた、図６Ａの混合機ノズル組立体の一部の断面図である。
【図６Ｃ】より大きな縮尺で描かれた、図６Ａの混合機ノズル組立体の一部の等角図である。
【図６Ｄ】より大きな縮尺で描かれた、図６Ｃの混合機ノズル組立体の一部の等角図である。
【図７】より小さい縮尺で描かれた、本発明の混合機ノズル組立体の他の代替具体例の断面図である。
【図８Ａ】より小さい縮尺で描かれた、そこに装架される本発明の混合機ノズル組立体の代替具体例の要素を備える貯蔵タンクの断面図である。
【図８Ｂ】より大きな縮尺で描かれた、図８Ａの混合機ノズル組立体の一部の側面図である。
【図９Ａ】本発明の方法の一具体例を模式的に示すフローチャートである。
【図９Ｂ】本発明の方法の代替具体例を模式的に示すフローチャートである。
【発明を実施するための形態】
【００１５】
添付の図面において、同じ参照番号は、全体を通して、対応する要素を示す。最初に、数字２０によって一般的に言及される本発明の混合機ノズル組立体の具体例を説明するために、図１Ａ〜１Ｃ、図２Ａ、図３〜５Ａおよび図５Ｃが参照される。図１Ｂにおいて理解され得るように、混合機ノズル組立体２０は、その中にタンク容積２６を有するタンク２４内に導入される流体２２を混合するためのものである。一具体例において、混合機ノズル組立体２０は、好ましくは、互いに流体連通している（図５Ａ）、一つ以上の入口３０および一つ以上の出口３２を備える固定本体２８、図１Ｃに矢印Ａで示される所定の方向における軸３６の周りでの回転のために固定本体２８に装架された回転本体３４を含む。好ましくは、回転本体３４は、互いに流体連通された一つ以上の入口開口３８および一つ以上の出口開口４０を含む。また、入口開口３８は、固定本体２８の入口３０から出口開口４０に流体２２が流入し、そこからタンク容積２６内に流出できるようにするために、固定本体２８の出口３２と流体連通している。好ましくは、および説明されるように、各々の流出開口４０は、回転本体３４が回転軸３６の周りで所定の方向に回転することをもたらすために、軸３６と整列しない方向に、そこを通って回転本体３４を出て行く流体２２を方向づけるように形成されており、少なくとも一つの出口開口を出て行く流体は、タンク容積２６内の少なくとも一部の流体と混合する。また、混合機ノズル組立体２０は、軸３６の周りで所定の方向での回転本体３４の回転速度を制御する、ガバナー組立体４２を含むことが好ましい。一具体例において、ガバナー組立体４２は、好ましくは、回転速度で軸３６の周りでの回転本体３４と一緒の回転のための、回転本体３４に固定された駆動シャフト４４（図５Ａ、５Ｃ）、および、回転速度で軸３６の周りでの駆動シャフト４４と一緒の回転のための、駆動シャフト４４に取り付けられた一つ以上の内部要素４６を含む。好ましくは、ガバナー組立体４２は、また、内部要素４６と本体４８との間の内部容積５２（図５Ｃ）を少なくとも部分的に画定するように内部要素４６が受容され得る、その中に一つ以上の空洞５０を画定する、ガバナー本体４８を含む。また、説明されるように、内部容積５２は、予め選択された速度で回転本体３４が回転することをもたらすよう、軸３６の周りの内部要素４６の回転を穏やかにするため、予め選択された流速で、そこを通して方向づけられる油圧油（不図示）を受け入れるように適合されている。また、好ましくは、ガバナー組立体４２は、回転本体３４の回転速度を予め選択された速度に調整するため、予め選択された流速に流速を調整するように油圧油の流速を支配するための油圧回路５４（図１Ａ、２Ａ、２Ｃ）を含む。
【００１６】
混合機ノズル組立体のある要素は、説明の明確性のために、ある図から省略されることが理解されるであろう。例えば、タンク外部に位置づけられる油圧回分のほとんど、または、全て、図１Ａ、図１Ｃおよび図３〜５Ｃから省略されている。
【００１７】
図１Ａおよび図１Ｃにおいて理解されるように、流体２２は、タンク２４の外部に位置づけられる外部パイプ５６（図２Ａ、２Ｂ）から固定本体２８に向けられる。一具体例において、固定本体２８は、好ましくは、第一および第二の部分５８、６０、および、それらの間に位置づけられる中間部分６２（図４、５Ａ）を含む。タンク２４に装架されると、第一部分５８は実質的に水平に位置づけられ、第二部分６０は、実質的に垂直に位置づけられる。中間部分６２は、好ましくは、流体２２の流れの方向を、実質的に水平から実質的に垂直に（すなわち、下方に）変更するために、当該技術分野において知られているような、エルボー形状にある。図４および図５Ａにおいて理解されるように、流体２２は、外方のパイプから内方に、第一部分５８を通り（矢印Ｂで概略的に示されるように）、中間部分６２を通り（矢印Ｃで概略的に示されるように）、そして、第二部分６２を通って（矢印Ｄで概略的に示されるように）下方に流れる。
【００１８】
回転本体３４は、明確にするために、図５Ａに４０Ａおよび４０Ｂで示された、二つの出口開口を含むことが、また、好ましい。図５Ａに示されるように、回転本体３４は、好ましくは、回転軸３６の周りの回転のために固定本体２８の第二部分６０に装架された装架部分６４、および、入口開口３８および出口開口４０Ａ、４０Ｂを含む主部分６６を含む。主部分６６の中央部６８は、回転軸３６と整列している。第二部分６０を流れる流体２２は（矢印Ｄで示されるように）、入口開口３８から回転本体に入り、中央部６８に展開して、矢印ＥおよびＦ（図５Ａ）で模式的に示されるように、二つの実質的に等量の流れに分かれ、前方に、そして、出口開口４０Ａ、４０Ｂを通って流れる。図１Ｃにおいて理解されるように、主部分６６は、好ましくは、出口軸７２Ａ、７２Ｂとそれぞれ同軸の端部７０Ａ、７０Ｂを含むように形成され、出口軸７２Ａ、７２Ｂは、回転軸３６に対してオフセットしている。出口軸７１Ａ、７２Ｂは、また、互いに対してオフセットしている（図１Ｃ、５Ａ）。
【００１９】
図１Ｃおよび図５Ａから、ノズル組立体２０は、タンク２４内にすでに存在する流体２２を押圧し、回転本体２４が、図１Ｃに矢印Ａで示された、所定の方向に回転されることをもたらす、出口開口４０Ａ、４０Ｂを出て行く流体の噴流を生成することが、理解され得る。出口開口４０Ａ、４０Ｂを出て行く流体の噴流は、一般的には、それぞれの軸７２Ａ、７２Ｂと同軸である。出口開口４０Ａ、４０Ｂを出て行く流体２２は、したがって、すでにタンク容積２６内に存在する流体２２と混合され、また、タンク容積２６内にすでに存在する流体２２のさらなる混合をもたらす。明確にするために、多くの要素が図から省略されていることが理解されるであろう。例えば、図１Ｃに示された混合機ノズル組立体２０は、タンクに装架されることが意図されており、その結果、回転本体３４は、タンク壁に近接して位置づけられ、固定および回転本体は、少なくとも部分的に流体内に浸漬されること、そして、出口開口から出て行く流体の噴流が、タンク内にすでに存在する流体と混合することが理解されるであろう。
【００２０】
図５Ａにおいて理解されるように、駆動シャフト４４が、回転本体３４に直接装着され、その結果、所定の方向における回転本体３４の回転は、また、所定の方向における、駆動シャフト４４の対応する回転を直接にもたらす。特に、駆動シャフト４４は、中央部６８の外方側部に装架され、その結果、駆動シャフト４４は、回転体３４がその周りを回転する、回転軸３６と同軸である。
【００２１】
一具体例において、ガバナー組立体４２は、任意の好適な油圧モータである。当業者は、油圧モータの種々のタイプを知っているだろう。一例として、外部のギアモータが図５Ｃに示される。このモータにおいて、内部要素４６は、駆動ギア７４を含む。図５Ｃに示されるように、駆動ギア７４は、駆動シャフト４４に直接固定され、その結果、駆動ギア７４の回転は、直接、駆動シャフト４４の回転に対応する。上述したように、駆動シャフト４４は、回転本体３４と共に回転する。このことは、駆動ギア７４の回転は、また、回転本体３４の回転に直接対応することを意味する。図５Ｃにおいて理解されるように、駆動ギア７４は、部分的に、内部容積５２を画定する。
【００２２】
しかしながら、この例において、ガバナー組立体４２は、外部ギアモータであるので、駆動ギア７４との協働のためのアイドルギア７６を、また、含む。駆動ギア７４およびアイドルギア７６の双方は、部分的に内部容積５２を画定するように、ガバナー本体４８の内部の空洞５０に装着される。駆動ギア７４は、矢印Ａで示された方向（すなわち、回転本体３４と同じ方向）に駆動シャフト４４と共に回転し、アイドルギア７６は、矢印Ｇで示された方向に回転する。操作中、油圧油（不図示）は、（矢印Ｈで模式的に示されたように）ガバナー本体４８に流れ、それから、（矢印Ｊ1からＪ11で模式的に示されたように）内部容積を通って流れ、そして、矢印Ｋで模式的に示されたように、ガバナー本体を出て行く。ガバナー組立体４２は、好ましくは、駆動シャフト４４が回転本体の回転によって駆動される、油圧モータであるので、油圧油が内部容積（すなわち、矢印Ｈおよび矢印Ｊ1からＪ11で示されたような）に流入する速度は、駆動ギア７４が回転する速度に影響することが、当業者に理解されるであろう。
【００２３】
予め選定された油圧油の流速は、予め選定された速度、すなわち、その時に回転本体がさらされる条件で回転する回転体をもたらす流速である。内部容積５２における流速の減少は、駆動ギア７４の回転速度を遅らせる傾向にあり、したがって、駆動シャフト４４の回転速度および回転本体２４の回転速度を、また、遅らせる傾向にある。内部容積５２における流速の増大は、駆動ギアの回転速度を増大させることをもたらす傾向にある。この方法において、油圧油が内部容積５２に流れる速度の調整は、回転本体３４の回転速度の調整をもたらす。しかしながら、実際は、回転本体の回転速度に影響する他の要因（例えば、回転本体３４を通る流体の流速）の変化により、油圧油の流速の変化は、回転本体３４の回転速度における直接的に対応する変化をもたらさないかもしれないということに留意すべきである。このことにより、回転速度を決定するための手段（後述）は、好ましくは、混合機ノズル組立体２０に含まれ、予め選定された速度に回転本体の回転速度を調整するために、操作者（不図示）が、可変の要因の全てを考慮に入れるであろう油圧油の流速を適切に調整すること、すなわち、そのための予め選定された速度に油圧油の流速を調整することを可能にする。
【００２４】
一具体例において、油圧回路５４は、好ましくは、また、予め選定された速度に回転本体３４の回転速度を調整するために、内部容積５２への油圧油の流入を制御する弁７８を含む。図２Ａおよび図２Ｃにおいて理解されるように、油圧油の流速の調整のために、弁７８はタンク２４の外部に配置されることが好ましい。弁７８は、好ましくは、当業者に知られているであろう、任意の好適な弁である。例えば、ニードル弁は好適であることが見出された。例えば、図１Ａおよび図１Ｂにおいて理解され、図２Ｃに、模式的に示されるように、油圧油は、そのために、ガバナー本体４８および弁７８に取付けられた管またはライン７９を通って移動する。
【００２５】
他の具体例において、油圧回路５４は、好ましくは、また、予め選定された速度に回転本体の回転速度を調整するために、内部容積５２への油圧油の流入を制御するポンプ８０を含む。図２Ｂおよび図２Ｄに示されるように、ポンプ８０は、油圧油の流速の調整のために、タンク２４の外部に配置されるのが、また、好ましい。当業者は、ポンプ８０が、任意の好適なポンプであり得ることを理解するであろう。当該技術分野においてよく知られているように、ポンプ８０は、一般的に、また少なくともポンプを駆動するためのモータおよび容器を含む、油圧ユニットに含まれ得る。図２Ｂおよび図２Ｃにおいて理解されるように、管またはライン７９は、油圧油がそれらの間を流れることができるように、ガバナー本体、および、弁７８および／またはポンプ８０を連結する。
【００２６】
当業者は、もし、ポンプ８０が弁７８のない油圧回路５４に含まれるなら、油圧回路５４を通る油圧油の流れが、作動しているときのポンプ８０によって実質的に決定されることを理解するであろう（この場合、回転本体の回転によって駆動されるガバナー組立体は、また、油圧油の流れに影響を及ぼし得る。）。回転本体３４を通る流体２２の流れが実質的に一定であるなら、ポンプ８０は、もし、それが適切な容量を有しているなら、回転本体３４が予め選定された速度で回転することを可能にするために、油圧回路５４を通る油圧油を圧送するように使用されるであろう。
【００２７】
しかしながら、多くの適用において、流体２２の流速は、実際には変わり（および、流体に関係し、回転本体の回転速度に影響する他のパラメータ、例えば、流体の密度、も変わり得る。）、そのため、製品流体２２またはその流れの変化を考慮に入れるように、油圧油の流速を調整できることが好ましい。しかしながら、適用によっては、弁７８は、単独で、油圧油の流速の十分な制御を提供し得る。
【００２８】
弁７８が、単独で、油圧油の流れに十分な変化をもたらしそうもない場合において、ポンプ８０が、好ましくは、また弁７８に加えて、油圧回路５４に含まれる。ポンプ８０および弁７８を用いると、弁７８を単独で用いるよりも油圧油の流速のより柔軟な制御が達成可能であることが当業者に理解されるであろう。したがって、本発明の油圧回路５４は、もし選択されるなら、混合機ノズル組立体２０が作動される環境に応じて、流速を制御するためのポンプ８０を単独で、または、弁７８を単独で、または双方を含み得ることが理解されるであろう。
【００２９】
例えば、図１Ａ〜図２Ａにおいて理解されるように、混合機ノズル組立体２０のある要素は、タンク２４の内部に装架される。これらの要素は、固定本体、回転本体、油圧ガバナー組立体、および、油圧回路の部分を含む。そのような要素は、しばしば、ここにおいて、便宜上、「内部要素」（すなわち、タンク内要素）として言及され、参照番号８１で示される。
【００３０】
上述されたように、大きな貯蔵タンクにおいて、所望の程度の混合を実現することは難しい。回転本体３４の回転速度は、好ましくは、最適の範囲の速度に維持されること、すなわち、予め選定された速度は特定の速度であり得、または、最適の範囲の速度であり得ることが当業者に理解されるであろう。どんな特定の場合における最適の範囲（すなわち、予め選定された速度）も多くの要因、例えば、タンク容積内の流体量、および流体粘度に依存する。例えば、回転本体３４の回転速度が余りに遅すぎると、タンク容積内の流体の不十分な混合、または、実質的に無混合が達成される。代わりに、回転速度が余りに速いと、混合作用が一部に限定、すなわち、混合機ノズル２０の周辺の近傍の流体に限定される。したがって、回転本体３４の回転速度は、好ましくは、特定の時における、タンク容積の流体に対する最適範囲内であることが理解され得る。
【００３１】
図１Ｂに示されるような、タンク容積２６内の流体２２の量は、単なる例示であることが理解されるであろう。当業者は、タンク容積２６内の流体２２の量が、時間と共に変わることを知っているだろう。
【００３２】
内部要素８１がタンク２４内に装架される方法は変化することが、また、理解されるであろう。例えば、図１Ｃに示された一具体例において、内部要素８１は、タンク２４の壁に装架される。しかしながら、（図８Ａおよび図８Ｂに示されるような）代替具体例において、内部要素８１は、説明されるように、タンク容積２６の実質的に中央に位置づけられる。
【００３３】
混合機ノズル組立体２０の内部要素８１がタンク２４の内部に装架されるため、それらは、タンクの作動期間、例えば、約２０年に等しい作動期間を有することが意図される。すなわち、タンク２４は、修理または交換のために、混合機ノズル組立体２０の内部要素８１にアクセスできるようには設計されず、そのような要素は、例えば、図１Ａ、図１Ｃおよび図３〜５Ａに示されているものである。また、および、図１Ｂにおいて理解されるように、作動において、内部要素８１は、しばしば、タンク容積内の流体に浸漬され、および、長期間、そのように浸漬され得る。当業者は、混合機ノズル組立体２０がタンク２４に装架された後は、固定本体および回転本体（および他の内部要素）へのアクセス欠如のため、また、安全性に対する懸念、すなわち、タンク２４内の石油流体へ電気機器を浸漬することを避ける要求のため、従来の電気的または機械的回転速度検出機器は不適切であるので、回転本体３４の回転速度を確実に決定することがこの場合困難であることを理解するであろう。
【００３４】
一具体例において、混合機ノズル組立体２０は、好ましくは、固定本体２８に対する軸３６周りの回転本体３４の回転速度を指し示す速度表示器８２（図６Ａ、６Ｂ）を含む。上述のとおり、速度表示器８２は、好ましくは、回転本体３４の回転速度が、電気的構成要素または機器を利用することなく決定されることを可能にする。一具体例において、速度表示器８２は、好ましくは、回転本体３４に対して静止している一つ以上の第一要素８３を含む。第一要素８３は、任意の好適な材料から形成され得る。第一要素８３は、好ましくは、（説明されるように）かなり柔軟であるので、第一要素８３は、バネ鋼から形成されることが好ましい。図６Ｂにおいて理解されるように、第一要素８３は、好ましくは、第一係合部分８４を含む。
【００３５】
また、速度表示器８２は、回転本体３４のカラー８６に装着された一つ以上の第二要素（図６Ｃ、６Ｄ）を含むことが好ましい。カラー８６は、回転本体３４の装架部分６４の一部であり、すなわち、カラー８６は、回転軸３６の周りを装架部分６４と一緒に回転する。カラー８６は、好ましくは、回転軸３６と、また同軸である、概して円形の本体端部８７を含む。第二要素８５は、好ましくは、本体端部８７に位置づけられてそこから突出しており、その結果、第二要素８５は、第二要素８５が含まれる回転本体３６の残りの部分と一緒に回転軸３６の周りを回転する。好ましくは、各第二要素８５は、第一係合部分８４と滑り係合するための、第二係合部分８８（図６Ｄ）を含む。
【００３６】
図６Ｄにおいて理解されるように、一具体例において、各々の第二係合部分８８は、好ましくは、実質的に円形の本体端部８７に対して外方に（すなわち、回転軸から離れて）分岐する係合表面８９を含む。係合表面８９は、本体端部８７と終点部９０（図６Ｄ）との間に延びる。第二要素８５は、また、カラー８６が（図６Ｃおよび図６Ｄに矢印Ａで示された）所定の方向に回転するとき、第一係合部分８４（図６Ｄに不図示）が終点部９０での係合表面８９との係合から、本体端部８７との係合にスムースに移動することができるように位置づけられた、終点部９０と本体端部８７との間に配置される表面Ｓ（図６Ｄ）を含む。
【００３７】
また、係合表面８９は、図６Ｄに「Ｚ」で示される点で本体端部８７と交わる。係合表面８９および本体端部８７は、「Ｚ」で比較的滑らかな表面を形成する。
【００３８】
図６Ｃにおいて、第一係合部分８４は、便宜上、８５Ａおよび８５Ｂとして特定される二つの第二要素間に位置づけられて示される（説明の明確性のため、固定本体２８の一部のみが図６Ｃに示されていることが理解されるであろう。）。図６Ｃおよび図６Ｄにおいて、カラー８６が所定の方向に回転するとき、静止している第一係合部分８４が、本体端部８７および第二係合部分８８によって、交互に滑り係合されることが理解される。図６Ｃに示されるように、第一係合部分８４は、本体端部８７と滑り係合される。図６Ｃにおいて、便宜上８５Ａとして特定される第二要素は、第一係合要素８４と、係合しようとしている。本体端部８７から「Ｚ」での係合表面８９への移動は、好ましくは、比較的滑らかであり、その結果、カラー８６は、係合表面８９が第一係合部分８４と滑り係合するとき、回転を継続する。
【００３９】
図６Ｄにおいて、係合表面８９は、本体端部８７から外方に分岐していることが理解される。第二要素８５Ａの係合表面８９が第一係合部分８４と滑り接触に至るとき、係合表面８９は、第一係合部分８４が終点部９０を通過するまで、第一係合部分８４を徐々に外方に（すなわち、回転軸３６から離れて）押圧する。
【００４０】
実際には、係合表面８９が第一係合部分８４を通過して移動するとき、第一要素８３は、さらに外方に曲げられる、すなわち、それは、それが固定本体２８に取付けられているその内方端７５からその外方端７７（図６Ｂ）まで外側に曲げられる。図６Ｄにおいて、第一要素８３は、係合表面の終点部９０が第一係合部分８４に係合するまで、次第に、さらに外方に曲げられることが理解される。
【００４１】
図６Ｄにおいて理解されるように、第一係合部分８４が係合表面８９の終点部９０を通過するとき、第一係合部分８４は、第一係合部分８４が、図６Ｄにおいて矢印Ｙで示される点で本体端部８７を打つまで、図６Ｄに矢印Ｘで示された方向に弾性的に速やかに移動する。「Ｙ」で示された点で、第一係合部分８４が本体端部８７を急速に打つとき、可聴音（すなわち、クリックまたはスナップ）が発生される。
【００４２】
第一要素８３が本体端部８７と係合するために内方にスナップされた後、回転本体３４が回転を継続するにつれ、第一係合要素８４は本体端部８７によって滑り係合されることが理解されるであろう。例えば、第一要素８３が、第二要素８５Ａの係合表面８９の終点部９０を通過した後、図６Ｃで８７Ａとして特定された本体端部は、第二要素８５Ｂが第一係合部分８４と係合するまで、第一係合部分８４と滑り係合する。特に、第二要素８５Ｂの係合表面８９は、第一係合部分８４と滑り係合し、第一要素８３が、その内方端７５からその外方端７７まで少し外方に曲げられることを再びもたらす。第一要素８３が、第二要素８５Ｂの終点部９０を通過すると、第一要素８３は、内方に急速にスナップし、便宜上、図６Ｂに８７Ｂとして特定された本体端部を打つ。図６Ａ−６Ｄに示されたカラー８６は、好ましくは、本体端部８７の周囲で互いから実質的に等距離にある多くの第二要素８５を含み、その結果、回転本体３４が回転するにつれ、第二要素８５が、連続的に第一要素８３と係合することが理解されるであろう。しかしながら、また、もし好まれるなら、カラー８６は、ただ一つの第二要素８５を含み得ることが理解されるであろう。
【００４３】
当業者は、第一要素８３が、好ましくは、弾性であり、そのため、各々の係合表面８９によって係合されるとき、常に外方に曲げられ、それから、各々の第二要素８５が第一要素８３と係合するとき、可聴音を提供するように、各々の係合表面８９の終点部９０を通過するとき急速に元に戻るということを理解するであろう。このことゆえに、第一要素８３は、バネ鋼または任意の他の好適な弾性材料から形成されることが好ましい。
【００４４】
図６Ｃおよび図６Ｄに示されるように、各々の第二係合部分８８は、好ましくは、固定本体２８に対する回転本体３４の回転速度を示す可聴音を提供するために、回転本体３４が固定本体２８に対して軸３６の周りを回転する時間間隔で第一係合部分８４と係合するように位置づけられる。前述から、可聴音は、回転本体３４が一定の速度で回転すると、実質的に一定の基準で生成され、操作者が、可聴音から、回転本体３４の実際の回転速度を決定することを可能にするということが理解され得る。
【００４５】
前述から、速度表示器８２は、その構造がかなり単純であり、そのため、故障しそうもないことが理解されるであろう。内部要素８１がタンク内に装架された後の、速度表示器８２および内部要素８１へのアクセス欠如のために、速度表示器８２が、故障しそうもない単純で頑丈な構造を有することが重要である。
【００４６】
図８Ａおよび図８Ｂにおいて理解されるように、内部要素８１は、タンク２４内の実質的に中央に配置され得る、すなわち、タンク床８９の実質的に中央に位置づけられ得る。図８Ａおよび図８Ｂに示された混合機ノズル組立体２０の具体例において、固定本体２８を支持するために、脚または他の好適な支持部材９１が含まれる。混合機ノズル組立体２０のこの具体例において、固定本体２８の第一部分５８およびタンク２４内に位置づけられる油圧回路７９は、かなり長い。内部要素８１は、図８Ａおよび図８Ｂに示されるように、全タンク容積２６を通した流体２２のより効果的な混合を提供するように位置づけられる。
【００４７】
固定本体２８、回転本体３４、ならびに、ガバナー組立体４２および他の内部要素は、好ましくは、任意の好適な材料から構成される。当業者は、種々の流体と一緒の使用に対して好適である材料を知っているであろう。例えば、種々の流体と一緒の使用のために、ニッケルがめっきされた炭素鋼が、固定本体２８および回転本体３４のための好適材料であることが理解されるであろう。流体により、これらの要素は、代わりに、ステンレス鋼から製造され得る。
【００４８】
前述から、使用において、操作者は、流体がタンク２４内にポンプ輸送されるとき、流体に所望の程度の混合を提供するため、混合機ノズル組立体２０を使用し得ることが理解されるだろう。例えば、本発明による混合機ノズル組立体２０の一具体例において、油圧回路５４は、好ましくは、予め選定された流速で、そこへ油圧油を提供するために、内部容積への油圧油の流速を制御するための弁７８を含む。加えて、油圧回路５４は、好ましくは、また、予め選定された流速でそこへ油圧油を提供するために、内部容積への油圧油の流速を付加的に制御するための油圧ポンプ８０を含む。また、混合機ノズル組立体２０は、軸３６の周りの回転本体３４の回転速度を表示するための速度表示器８２を含み、そのため、予め選定された速度に軸３６周りの回転本体３４の回転速度を調整するため、油圧油の流速は、弁７８によって、および、油圧ポンプ８０によって（すなわち、速度表示器によって提供される可聴音に基き、操作者によって）、予め選定された流速に調整可能であることが好ましい。
【００４９】
前述のように、速度表示器によって示される回転本体の回転速度の変化に対応して、予め選定された流速に、流速を調整可能にするために、弁７８および油圧ポンプ８０は、タンク２４の外部に配置されることが好ましい。すなわち、製品流体またはその流れに関するパラメータの変化により回転本体の回転速度が変化するとき、油圧油の予め選定された流速（すなわち、予め選定された速度で回転本体が回転することをもたらすために必要とされる油圧油流速）が変化する。当業者は、操作者（すなわち、タンクの外部に位置づけられる。）が、速度表示器８２により発生させられる可聴音を聞くことができるので、操作者は、したがって（すなわち、弁７８および／または油圧ポンプ８０を介して）、回転本体３４が予め選定された速度で回転できるように、油圧油の流速を調整することができる。例えば、流体が、かなり大きなタンクに貯蔵された、（例えば、約９２７ｋｇ／ｍ3の密度を有する）西部カナダのブレンド原油である場合、予め選定された回転速度（すなわち、最適回転速度）は、１時間に約３回転であることが見出された。予め選定された回転速度は、多くの要素、例えば、流体の粘度、および、タンク容積２６内の流体量によって変わるだろう。
【００５０】
混合機ノズル組立体２０は、ガバナー組立体４２が、内部要素４６の回転速度を変更することによって回転本体３４の回転速度を制御するという利点を有する、すなわち、回転本体３４の回転運動は、内部要素４６の回転運動の速度を変更することによって調整される。
【００５１】
図１Ｂにおいて理解されるように、本発明は、また、混合機ノズル組立体２０がそこに装架された、すなわち、タンク内部に装架された内部要素８１とタンク外部に位置づけられた油圧回路の部分を備えた、タンク２４を含む。一具体例において、混合機ノズル組立体２０は、基部９２（図１Ａ）を含む。図１Ｂに示されるように、基部９２は、好ましくは、タンク容積２６を少なくとも部分的に画定するタンク壁９４に固定される。固定本体
２８の第一部分５８は、好ましくは、外部パイプ５６に任意の好適な方法で結合される。図２Ａおよび図２Ｂにおいて理解されるように、外部パイプ５６は、タンク壁９４の外表面９５に近接して配置される。当業者は、タンク壁９４に基部９２を取付けること、および、第一部分５８と外部パイプ５６を結合することの詳細を知っており、したがって、さらに、そのような詳細を説明する必要はない。
【００５２】
一具体例において、混合機ノズル組立体２０は、基部９２およびガバナー組立体４２（図４、５Ａ）間に延びる支持要素９６を含む。支持要素９６は、好ましくは、当業者に知られている、任意の好適な態様で、基部９２およびガバナー組立体４２に取付けられる。支持要素９６はガバナー組立体を安定化するためのもの、すなわち、基部９２に対して実質的に固定してガバナー組立体４８を保持するためのものである。
【００５３】
前述のように、代わりの具体例において、内部要素８１は、タンクの床部８９（図８Ａ、８Ｂ）上で、実質的に中央に位置づけられ得る。この具体例の混合機ノズル組立体２０は、好ましくは、固定本体２８を支持するための脚または他の支持部材９１を含む。
【００５４】
本発明の代わりの具体例の混合機ノズル組立体１２０において、図５Ｂに示されるように、その固定本体１２８は、その回転本体１３４へと、予め選定された方向（図５Ｂにおいて矢印Ｌで示される。）で、出口１３２を出て行く流体２２を方向付けるための、好ましくは固定本体１２８の出口１３２に位置づけられた、そらせ板１０２を含む。そらせ板１０２は、基部９２から離れて流体２２を方向付けるためのものである。図１Ｂにおいて理解されるように、一具体例において、混合機ノズル組立体の内部要素は、タンク壁９４に基部９２を取付けることによってタンク内部に装架される。したがって、タンクに装架されると、回転本体は、タンク壁９４のかなり短い距離内のこの配列に配置される。このことは、回転本体３４を出て行く流体の一部が、かなり近い範囲で基部プレートに対して方向付けられるので、タンク容積内にすでに存在している流体の限定された混合を達成することを意味する。
【００５５】
前述から、混合機ノズル組立体１２０は、内部要素１８１がタンク壁９４に装架された場合に使用されることを意図されていることが理解されるだろう。そらせ板１０２の利点は、それが、予め選定された方向に、すなわち、基部９２およびタンク壁９４から離れて、固定本体１２８を出て行く流体を方向づけるということである。このことは、流体が、一度に一つの出口開口のみを介して回転本体１３４を出て行くことをもたらす。
【００５６】
例えば、図５Ｂに示されるように位置づけられた回転本体１３４でもって、流体は、出口１４０Ａを介して回転本体１３４から流れるのみであり、流体は、そらせ板１０２によって出口１３４Ｂを介しての流出から妨害されていることが理解される。前述のとおり、回転本体１３４からの流体の流れは、回転本体１３４が所定の方向に回転することをもたらす。回転本体１３４が十分な距離を回転したとき、出口開口１４０Ｂは、流体がそらせ板１０２によってそこを通して方向づけられ、流体が出口開口１４０Ａを通る流出から妨害されるように位置づけられることが理解されるであろう。この方法において、流体は、交互に、出口開口１４０Ａ、１４０Ｂと介して、回転本体１３４を出て行く。したがって、内部要素がタンク壁９４に装架される場合、この具体例の混合機ノズル組立体２０は、回転本体１３４を出て行く、ほとんど全ての流体が、タンク壁９４から離れて、外方に向けられるので、タンク内に流体を圧送することに費やされるエネルギーのより効果的な使用をもたらす。
【００５７】
当業者は、そらせ板１０２は好適である種々の形を有し得ることを理解するであろう。図５Ｂに示されるように、一具体例において、そらせ板１０２は、予め選定された方向に流体を導くために形付けられた、湾曲部分１０４を含む。混合機ノズル組立体１２０の油圧回路の大体（すなわち、タンク外部に配置されるそれの部分）は、説明の明確化のために、図５Ｂから省略されていることが理解されるであろう。
【００５８】
例えば、図４において理解されるように、一具体例において、出口開口４０Ａ、４０Ｂは、端部部分７０Ａ、７０Ｂの実質的に丸い内表面によって画定される。
【００５９】
したがって、出口開口４０Ａ、４０Ｂは、図示されるように、直径Ｍを有する。当業者は、出口開口４０Ａ、４０Ｂは、よりよい混合を達成するために、任意の適切な形であり得ることを理解するだろう。本発明の混合機ノズル組立体の代わりの具体例２２０において、その回転本体２３４は、好ましくは、また、そこを通る流体の流速を調整するために、出口開口２４０Ａ、２４０Ｂを減少するための、回転本体２３４に取付けられ得る、一つ以上のインサート２０６を含む。例えば、一般的な条件（例えば、流体粘度）により、流体が所望の程度の混合を達成するために高い速度で出口開口を出て行くべきであることが考慮される環境において、インサート２０６は、端部部分２７０Ａ、２７０Ｂに挿入される。インサート２０６は、それぞれ、矢印Ｎおよび矢印Ｏで模式的に示されるように、流体が、そこを通って出口開口２４０Ａ、２４０Ｂを出て行く、多少小さな直径Ｍ（すなわち、図５Ａに示された出口開口の直径より小さい。）を画定する。混合機ノズル組立体２２０の他の内部要素２８１（例えば、固定本体２２８およびガバナー組立体４２）は、また、図７に示される。混合機ノズル組立体２２０の油圧回路の大体（すなわち、タンク外部に配置されるそれの部分）は、説明の明確化のために図７から省略される。
【００６０】
使用において、タンク２４に導入される流体２２を混合する本発明の方法３０７の一具体例が、操作フローチャートを介して説明される。使用において、方法３０７は、固定本体２８が用意される、図９Ａのステップ３０９で始まる。図９Ａに模式的に説明されるように、回転本体３４およびガバナー組立体４２は、また、用意され（それぞれ、ステップ３１１、３１３）、油圧油の流速をそのための予め選定された流速に調整するために、油圧回路５４が、また、用意される。
【００６１】
ステップ３０９〜３１５は、図９Ａに特定の順序で示されたけれども、これらのステップの順序は、機能的に重要でなく、すなわち、いずれのステップも他に先行し得ることが当業者に理解され、要素は、それらが用意される度に、前述のように結合されることが理解される。
【００６２】
一具体例において、および、図９Ｂに模式的に示されるように、方法３０７は、好ましくは、また、速度表示器８２で、固定本体２８に対する回転軸３６周りの回転本体３４の回転速度を決定するステップを含む（ステップ３１７）。方法３０７は、回転本体の回転速度に基き、予め選定された速度に回転本体３４の回転速度を調整するため、予め選定された流速に流速を調整するために、弁７８でもって、内部容積への油圧油の流速を制御するステップを含む（ステップ３１９）。他の具体例において、方法３０７は、回転本体３４の回転速度に基いて、予め選定された速度に回転本体３４の回転速度を調整するため、予め選定された流速に流速を調整するために、油圧ポンプ８０でもって、内部容積への油
圧油の流速を制御するステップを含む（ステップ３２１）。
【００６３】
ステップ３１９および３２１は、図９Ｂにおいて、特定の順序で示されているけれども、これらのステップは、必ずしも、機能的に相互依存ではないことが、当業者によって理解されるであろう。例えば、前述のように、回転速度は、弁７８を介した油圧油の流れを制御することだけによって、また、ポンプ８０を介して油圧油の流れを制御することだけによって、制御され得る。代わりに、油圧油の流速は、弁７８およびポンプ８０の両方を用いることによって制御され得る。
【００６４】
本発明は多くの形態を取り得、そのような形態は、特許請求の範囲に記載された発明の範囲内であることが、当業者に、また、理解されるであろう。したがって、添付の特許請求の範囲の精神および範囲は、ここに含まれる好ましい形態の説明に限定されるべきではない。
【図１Ａ】
2012076074.tif 000003
【図１Ｂ】
2012076074.tif 000004
【図１Ｃ】
2012076074.tif 000005
【図２Ａ】
2012076074.tif 000006
【図２Ｂ】
2012076074.tif 000007
【図２Ｃ】
2012076074.tif 000008
【図２Ｄ】
2012076074.tif 000009
【図３】
2012076074.tif 000010
【図４】
2012076074.tif 000011
【図５Ａ】
2012076074.tif 000012
【図５Ｂ】
2012076074.tif 000013
【図５Ｃ】
2012076074.tif 000014
【図６Ａ】
2012076074.tif 000015
【図６Ｂ】
2012076074.tif 000016
【図６Ｃ】
2012076074.tif 000017
【図６Ｄ】
2012076074.tif 000018
【図７】
2012076074.tif 000019
【図８Ａ】
2012076074.tif 000020
【図８Ｂ】
2012076074.tif 000021
【図９Ａ】
2012076074.tif 000022
【図９Ｂ】
2012076074.tif 000023
【外国語明細書】
2012076074000001.pdf